(57)【要約】【課題】シート収納カセットを軽量化することによりユーザーによる操作性を向上させるとともに、シート昇降板の位置精度を向上させることが可能な画像形成装置を提供する。【解決手段】画像形成装置１００は、画像形成装置１００本体に設けられるカセット装着部１と、用紙収容部Ｓを有する給紙カセット３０と、を備える。カセット装着部１には、用紙１８を昇降する用紙昇降板５０と、用紙昇降板５０のシート給送方向の下流端を昇降させるリフト機構６０と、が設けられている。用紙収容部Ｓのカセットベース３１には、用紙昇降板５０と対向する位置に開口部３１ａが形成されている。用紙昇降板５０は、カセットベース３１に対して下方に配置される下降位置と、開口部３１ａを介してカセットベース３１の上方に突出し用紙１８の給送を可能にする上昇位置と、に選択配置される。【選択図】図４
2020007127.tif 000002
【特許請求の範囲】
【請求項１】
装置本体に設けられ、シートを給送する給送部を有するカセット装着部と、
前記カセット装着部に対して装着可能で、前記シートを収容するシート収容部を有するシート収納カセットと、
を備え、
前記カセット装着部には、装着方向において前記シート収納カセットの先端部と対向する位置に配置され、シート給送方向上流側の部分が回動可能に支持され、前記シートを昇降するシート昇降板と、前記シート昇降板のシート給送方向の下流端を昇降させるリフト機構と、が設けられており、
前記シート収容部は、上面に前記シートが積載されるカセットベースと、前記カセットベースの周囲に立設された側壁と、により構成され、
前記カセットベースには、前記シート昇降板と対向する位置に開口部が形成されており、
前記シート収納カセットが前記カセット装着部に装着された状態において、前記シート昇降板は、前記カセットベースに対して下方に配置され前記シート収納カセットを前記カセット装着部に対して着脱可能にする下降位置と、前記開口部を介して前記カセットベースの上方に突出して、前記給送部による前記シートの給送を可能にする上昇位置と、に選択配置されることを特徴とする画像形成装置。
【請求項２】
前記開口部のシート給送方向下流側の縁部には、前記シート給送方向上流側に突出し前記シートの縁部を支持する支持突部が設けられており、
前記シート昇降板の前記シート給送方向下流側の縁部には、前記支持突部に対向する部分に前記支持突部が通過可能な切り欠きが形成されていることを特徴とする請求項１に記載の画像形成装置。
【請求項３】
前記シート昇降板は、前記シートを支持するシート支持部と、前記シート支持部の前記シート給送方向と直交するシート幅方向の両端部に立設され、前記カセット装着部に回動可能に支持される一対のアーム部と、前記シート支持部の前記シート幅方向の両端部と前記一対のアーム部とを接続する一対の連結部と、を有し、
前記連結部は、前記シート収納カセットの前記側壁の前記シート幅方向の外側まで延びるように形成されており、
前記アーム部は、前記シート収納カセットの前記シート幅方向の外側に配置されていることを特徴とする請求項１または２に記載の画像形成装置。
【請求項４】
前記カセットベースのうちの前記シート給送方向の下流部には、他の部分と比べて底部が上方にシフトした段差部が設けられており、
前記開口部は、前記段差部に形成されており、
前記シート収納カセットが前記カセット装着部に装着された状態において、前記リフト機構は、前記段差部と前記カセット装着部の底面部とで画定される空間に配置されていることを特徴とする請求項１〜３のいずれか１項に記載の画像形成装置。
【発明の詳細な説明】
【技術分野】
【０００１】
本発明は、画像形成装置に関し、特に、画像形成装置本体のカセット装着部に対して着脱可能なシート収納カセットを備えた画像形成装置に関する。
【背景技術】
【０００２】
給紙カセット（シート収納カセット）は、複写機やプリンターに代表される画像形成装置において、カットペーパー等の給紙用として用いられる。この給紙カセットは、印字前の用紙を予め多数枚ストックしておき、給紙カセットの近傍に設けられた給紙ローラーやピックアップローラー等により給紙カセット内に積み上げられた用紙束の最上層から１枚ずつ用紙を分離して供給する。
【０００３】
従来、給紙カセットには、上面に用紙が載置され用紙を昇降させる用紙昇降板が備えられている。用紙昇降板は、給紙カセットの底面内側に給紙方向上流端が支持され、この支点を中心とし、給紙方向下流側の端部を回動端として回動可能である。また、給紙カセットには、用紙昇降板の回動端を昇降させるリフト機構が設けられる。リフト機構には、画像形成装置本体に設けられた本体ギア、及び給紙カセットのカセット側面部に設けられた入力ギアなどを介して駆動力が伝達される。
【０００４】
なお、画像形成装置本体に設けられた本体ギアから給紙カセットのリフト機構に駆動力を伝達し、リフト機構を駆動することにより用紙昇降板を回動させる画像形成装置は、例えば特許文献１に開示されている。
【先行技術文献】
【特許文献】
【０００５】
【特許文献１】特開２００９−４０５１７号公報
【発明の概要】
【発明が解決しようとする課題】
【０００６】
ところで、用紙昇降板は、給紙精度に影響を及ぼすものであるため、位置精度が要求される。しかしながら、従来の画像形成装置では、給紙カセットに用紙昇降板が設けられているため、給紙カセットの用紙収容部に対する用紙昇降板の位置精度と、画像形成装置本体に対する用紙収容部の位置精度と、の両方の精度が要求される。
【０００７】
また、用紙昇降板は、用紙束を昇降させるため、剛性が要求される。そして、従来の画像形成装置では、給紙カセットに用紙昇降板が設けられているため、用紙昇降板を支持する給紙カセットにも剛性が要求される。このため、給紙カセットが重量化するので、ユーザーによる操作性が低下する。
【０００８】
本発明は、上記のような課題を解決するためになされたものであり、本発明の目的は、シート収納カセットを軽量化することによりユーザーによる操作性を向上させるとともに、シート昇降板の位置精度を向上させることが可能な画像形成装置を提供することである。
【課題を解決するための手段】
【０００９】
上記目的を達成するために、本発明の第１の局面に係る画像形成装置は、装置本体に設けられ、シートを給送する給送部を有するカセット装着部と、カセット装着部に対して装着可能で、シートを収容するシート収容部を有するシート収納カセットと、を備える。カセット装着部には、装着方向において前記シート収納カセットの先端部と対向する位置に配置され、シート給送方向上流側の部分が回動可能に支持され、シートを昇降するシート昇降板と、シート昇降板のシート給送方向の下流端を昇降させるリフト機構と、が設けられている。シート収容部は、上面にシートが積載されるカセットベースと、カセットベースの周囲に立設された側壁と、により構成される。カセットベースには、シート昇降板と対向する位置に開口部が形成されている。シート収納カセットがカセット装着部に装着された状態において、シート昇降板は、カセットベースに対して下方に配置されシート収納カセットをカセット装着部に対して着脱可能にする下降位置と、開口部を介してカセットベースよりも上方に突出して、給送部によるシートの給送を可能にする上昇位置と、に選択配置される。
【発明の効果】
【００１０】
本発明の第１の局面に係る画像形成装置によれば、カセット装着部には、シートを昇降するシート昇降板が設けられている。これにより、シート昇降板がシート収納カセットに設けられている場合に比べて、シート昇降板の位置精度を容易に向上させることができる。
【００１１】
また、シート昇降板をカセット装着部に設けることによって、シート昇降板をシート収納カセットに設ける場合と異なり、シート収納カセットでシート昇降板を支持しないので、シート収納カセットの剛性を高くする必要がない。このため、シート収納カセットを軽量化することができるので、ユーザーによるシート収納カセットの操作性を向上させることができる。
【図面の簡単な説明】
【００１２】
【図１】本発明の一実施形態の画像形成装置の構造を示した断面図である。
【図２】本発明の一実施形態の画像形成装置の給紙カセットの構造を示した斜視図である。
【図３】本発明の一実施形態の画像形成装置のカセット装着部の一部の構造を示した斜視図である。
【図４】本発明の一実施形態の画像形成装置のカセット装着部の一部の構造および給紙カセットの構造を示した斜視図である。
【図５】本発明の一実施形態の画像形成装置のカセット装着部に対して給紙カセットを着脱している途中の状態を用紙幅方向中央に沿って示した断面図であり、用紙昇降板が下降位置に配置された状態を示す図である。
【図６】本発明の一実施形態の画像形成装置のリフト機構の構造を示した斜視図である。
【図７】本発明の一実施形態の画像形成装置のカセット装着部に対して給紙カセットを装着した状態を用紙幅方向中央に沿って示した断面図であり、用紙昇降板が上昇位置に配置された状態を示す図である。
【図８】本発明の一実施形態の画像形成装置のカセット装着部に対して給紙カセットを装着した状態を示した断面斜視図であり、用紙昇降板が下降位置に配置された状態を示す図である。
【図９】本発明の一実施形態の画像形成装置のカセット装着部に対して給紙カセットを装着した状態を示した断面斜視図であり、用紙昇降板が上昇位置に配置された状態を示す図である。
【発明を実施するための形態】
【００１３】
以下、本発明の実施形態について図面を参照して説明する。
【００１４】
図１〜図９を参照して、本発明の一実施形態による画像形成装置１００について説明する。なお、ここでは画像形成装置１００として、モノクロプリンターについて示している。画像形成装置１００本体内には図１に示すように、帯電、露光、現像及び転写の各工程によりモノクロ画像を形成する画像形成部Ｐが配設されている。
【００１５】
画像形成部Ｐには、感光体ドラム２の回転方向（図１の反時計回り方向）に沿って、帯電部、露光ユニット、現像装置、転写ローラー、クリーニング装置、及び除電装置（図示せず）が配設されている。
【００１６】
トナー像が形成された画像形成部Ｐに向けて、給紙カセット（シート収納カセット）３０から用紙（シート）１８が用紙搬送路１１及びレジストローラー対を経由して所定のタイミングで搬送され、画像形成部Ｐにおいて転写ローラーにより感光体ドラム２表面のトナー像が用紙１８に転写される。そして、トナー像が転写された用紙１８は感光体ドラム２から分離され、定着部に搬送されて加熱及び加圧されることで用紙１８にトナー像が定着される。
【００１７】
定着部を通過した用紙１８は、複数方向に分岐した分岐部によって搬送方向が振り分けられ、そのまま（或いは、両面搬送路に送られて両面印刷された後に）排出ローラー対１４によって排出トレイ１５に排出される。
【００１８】
給紙カセット３０は、画像形成装置１００本体のカセット装着部１に対して着脱可能に形成されている。この画像形成装置１００では給紙カセット３０の給紙方向（シート給送方向、矢印Ａ方向）下流側には、画像形成装置１００本体の下方から用紙が給紙される際の用紙搬送路１１が設けられているので、給紙カセット３０は図１の左方向（矢印Ａ´方向）に引き出される。すなわち、図１の左方向は、給紙カセット３０の引出方向であり、右方向は給紙カセット３０の装着方向である。
【００１９】
カセット装着部１のうちの給紙カセット３０の装着方向下流側（図１の右側）の部分に対向する対向部には、用紙１８を送り出す給送部２０が設けられている。給送部２０は、給紙カセット３０に積載される用紙１８の最上面に圧接されて回転することで用紙１８を送り出すピックアップローラー２１と、ピックアップローラー２１から送り出された用紙１８を搬送するフィードローラー２２ａと、を含む。フィードローラー２２ａにはリタードローラー２２ｂが圧接されており、この２つのローラーによって搬送ローラー対２２が構成されている。ピックアップローラー２１によって複数枚の用紙１８が同時に給送された場合は、搬送ローラー対２２によって用紙１８が捌かれ、最上位の１枚のみが用紙搬送路１１に向けて送り出される。
【００２０】
図２は、本発明の一実施形態の画像形成装置１００の給紙カセット３０の構造を示した斜視図である。なお、図２は図１の紙面奥側から見た状態を示しており、給紙カセット３０の引出方向および装着方向は図１と左右が逆になっている。図２において、給紙カセット３０は、上面に用紙１８が積載されるカセットベース３１の四方の周縁部に側壁３２ａ〜３２ｄが立設されて上面が開口した平坦な箱状に構成され、その上方向から用紙１８を積載して収容する。なお、カセットベース３１および側壁３２ａ〜３２ｄによって、用紙を収容する用紙収容部（シート収容部）Ｓが形成されている。
【００２１】
給紙カセット３０の装着方向または引出方向（矢印ＡＡ′方向）に対し平行な側壁３２ｂ、３２ｃの外側には一対のカセットレール部３３が付設されている。画像形成装置１００本体側にはカセットレール部３３を摺動可能に案内する一対の本体レール部４４（図３参照）が設けられており、カセットレール部３３を本体レール部４４に沿って摺動させることで、給紙カセット３０は画像形成装置１００本体に対し挿入及び引き出し可能となっている。
【００２２】
給紙カセット３０の内部には、給紙方向（矢印Ａ方向）に沿って立設された一対の幅規制カーソル３５が備えられている。一対の幅規制カーソル３５は、給紙方向と直交する用紙幅方向に互いに移動可能で、用紙幅方向の両側から用紙束の側面に当接し、用紙束の幅方向の位置決めを行う。
【００２３】
給紙カセット３０の内部の給紙方向上流側には、後端規制カーソル３６が給紙方向に沿って移動可能に備えられている。後端規制カーソル３６は、給紙方向上流側から用紙束の後端面に当接し、用紙束の給紙方向の位置決めを行う。
【００２４】
なお、カセットベース３１には、幅規制カーソル３５および後端規制カーソル３６の移動を許容するスリット等が設けられているが、図面簡略化のため省略している。
【００２５】
ここで、本実施形態では、カセットベース３１の後述する用紙昇降板５０と対向する位置には、用紙昇降板５０の少なくとも一部が通過可能な開口部３１ａが形成されている。
【００２６】
開口部３１ａの給紙方向下流側の縁部には、給紙方向上流側に突出し用紙１８の先端縁部を支持する一対の先端支持部（支持突部）３１ｂが用紙幅方向に所定の間隔を隔てて設けられている。また、開口部３１ａの用紙幅方向の縁部には、用紙幅方向内側に突出し用紙１８の先端角部を支持する一対の角支持部３１ｃが設けられている。
【００２７】
また、本実施形態では図３に示すように、カセット装着部１には、装着方向において給紙カセット３０の先端部と対向する位置に配置され、給紙方向下流端が上下方向に揺動する用紙昇降板（シート昇降板）５０が設けられている。用紙昇降板５０は、カセット装着部１によって給紙方向上流側の部分が回動可能に支持されている。
【００２８】
具体的には、カセット装着部１は図３および図４に示すように、給紙方向に沿って延びるとともに給紙カセット３０の側壁３２ｂおよび３２ｃに対向配置される一対の本体フレーム４１と、用紙幅方向に延びるとともに給紙カセット３０の側壁３２ａに対向配置される本体フレーム４２と、を有する。なお、図面簡略化のため、本体フレーム４１については、一方のみを描いている。また、本体フレーム４１は、給紙カセット３０の下流端から上流端まで延びるように形成されているが、上流側の部分を省略している。また、本体フレーム４２は、一対の本体フレーム４１を接続するように形成されているが、その一部を省略している。
【００２９】
本体フレーム４１は、側面部４１ａと、側面部４１ａの下端部から用紙幅方向内側に突出する底面部４１ｂと、を有する。側面部４１ａの所定位置には、用紙昇降板５０の回動中心となる軸部４３が固定されている。側面部４１ａと底面部４１ｂとの接続部には、上述した本体レール部４４が設けられている。
【００３０】
本体フレーム４２は、側面部４２ａと、側面部４２ａの下端部から給紙方向上流側に突出する底面部４２ｂと、を有する。側面部４２ａは、給紙カセット３０の側壁３２ａと当接して給紙カセット３０を位置決めする。底面部４２ｂは、後述するリフト機構６０の押し上げ板６２を下方から支持する。
【００３１】
用紙昇降板５０は、板金からなり、用紙１８を支持する用紙支持部（シート支持部）５１と、用紙支持部５１の用紙幅方向の両端部に立設され、カセット装着部１の軸部４３に回動可能に支持される一対のアーム部５２と、用紙支持部５１の用紙幅方向の両端部と一対のアーム部５２とを接続する一対の連結部５３と、を有する。用紙支持部５１は、カセットベース３１の開口部３１ａよりも小さく形成されている。連結部５３は、給紙カセット３０の側壁３２ｂおよび３２ｃの用紙幅方向の外側まで延びるように形成されている。アーム部５２は、給紙カセット３０の用紙幅方向外側に配置される。なお、用紙昇降板５０は、給紙方向下流端を回動端として軸部４３を中心に回動する。
【００３２】
用紙支持部５１の給紙方向下流側の縁部には、給紙カセット３０の先端支持部３１ｂに対向する部分に先端支持部３１ｂを通過可能な切り欠き５１ａ（図３参照）が設けられている。また、用紙支持部５１と側面部４２ａとの間には、給紙カセット３０の側壁３２ａの厚みよりも大きい隙間が設けられている。なお、切り欠き５１ａは、先端支持部３１ｂよりも少し大きく形成されている。
【００３３】
図５に示すように、カセットベース３１のうちの給紙方向の下流部には、他の部分と比べて底部が上方にシフトした段差部３１ｄが設けられており、開口部３１ａは段差部３１ｄに形成されている。
【００３４】
カセット装着部１には、用紙昇降板５０の給紙方向下流端を昇降させるリフト機構６０が配置されている。リフト機構６０は、給紙カセット３０がカセット装着部１に装着された状態において、段差部３１ｄと底面部４２ｄとで画定される空間Ｓ３１に配置される。リフト機構６０は図６に示すように、回動軸部６１と、押し上げ板６２と、扇形ギア（押し上げ用ギア）６３と、によって構成されている。なお、図面簡略化のため、図５〜図７以外の図ではリフト機構６０を省略している。
【００３５】
回動軸部６１の一端に押し上げ板６２の固定孔６２ａが貫通して、回動軸部６１と押し上げ板６２が固定されている。押し上げ板６２は、用紙昇降板５０の裏面の用紙幅方向略中央部に対向する位置に配置されている。押し上げ板６２は図７に示すように、用紙昇降板５０を下側から持ち上げて回動させる。なお、回動軸部６１は、本体フレーム４１および４２に回動可能に支持されている。
【００３６】
また、扇形ギア６３は図６に示すように、回動軸部６１の他端に連結されており、押し上げ板６２と共に回動する。扇形ギア６３は、複数のギア７１および駆動モーター（駆動源）からなる駆動機構７０に連結されている。駆動モーター（図示せず）が正逆回転することにより、扇形ギア６３および押し上げ板６２が正逆方向に回動し、用紙昇降板５０が昇降する。なお、駆動機構７０は、画像形成装置１００本体（ここではカセット装着部１）に設けられているとともに、画像形成装置１００全体を制御する制御部９０（図１参照）によって制御される。
【００３７】
給紙カセット３０の着脱時や非画像形成動作時には、駆動機構７０によりリフト機構６０の扇形ギア６３が逆方向に回動され、押し上げ板６２が倒伏した状態（図５の状態）に保持される。これにより、用紙昇降板５０は図５および図８に示すように、水平状態に保持されるとともに、カセットベース３１に対して下方に位置する下降位置に配置される。その一方、画像形成動作時には、駆動機構７０によりリフト機構６０の扇形ギア６３が正方向に回動され、押し上げ板６２が起き上がった状態（図７の状態）に保持される。これにより、用紙昇降板５０は図７および図９に示すように、給紙方向下流端（回動端）が上昇するように回動されるとともに、給紙カセット３０のカセットベース３１の開口部３１ａを介してカセットベース３１の上方に突出する上昇位置に配置される。用紙昇降板５０が上昇位置に配置されることにより、用紙昇降板５０上の用紙束がピックアップローラー２１に圧接し、給紙可能な状態になる。
【００３８】
本実施形態では、上記のように、カセット装着部１には、用紙１８を昇降する用紙昇降板５０が設けられている。これにより、用紙昇降板５０が給紙カセット３０に設けられている場合に比べて、用紙昇降板５０の位置精度を容易に向上させることができる。具体的には、用紙昇降板５０が給紙カセット３０に設けられている場合は、給紙カセット３０の用紙収容部Ｓに対する用紙昇降板５０の位置ズレ誤差と、画像形成装置１００本体に対する用紙収容部Ｓの位置ズレ誤差と、の両方が生じる。その一方、本実施形態では用紙昇降板５０が画像形成装置１００本体のカセット装着部１に設けられているので、画像形成装置１００本体に対する用紙昇降板５０の位置ズレ誤差のみが生じる。このため、用紙昇降板５０の位置精度を容易に向上させることができる。
【００３９】
また、用紙昇降板５０をカセット装着部１に設けることによって、用紙昇降板５０を給紙カセット３０に設ける場合と異なり、給紙カセット３０で用紙昇降板５０を支持しないので、給紙カセット３０の剛性を高くする必要がない。このため、給紙カセット３０を軽量化することができるので、ユーザーによる給紙カセット３０の操作性を向上させることができる。
【００４０】
また、用紙昇降板５０を給紙カセット３０に設ける場合に比べて、給紙カセット３０の構造を簡素化することができる。このため、給紙カセット３０をより軽量化することができるので、ユーザーによる給紙カセット３０の操作性をより向上させることができる。
【００４１】
また、リフト機構６０をカセット装着部１に設けることによって、リフト機構６０を給紙カセット３０に設ける場合と異なり、画像形成装置１００本体側から給紙カセット３０側に駆動力を伝達するためのギア等の部材を設ける必要がないので、その分コストダウンすることができる。
【００４２】
また、上記のように、開口部３１ａの給紙方向下流側の縁部には、給紙方向上流側に突出し用紙１８の縁部を支持する先端支持部３１ｂが設けられている。これにより、用紙１８が開口部３１ａから落下するのを容易に抑制することができる。また、用紙昇降板５０の給紙方向下流側の縁部には、先端支持部３１ｂに対向する部分に先端支持部３１ｂが通過可能な切り欠き５１ａが形成されている。これにより、用紙昇降板５０が先端支持部３１ｂに衝突するのを回避しながら、用紙昇降板５０によって用紙１８の先端を支持することができる。
【００４３】
また、上記のように、用紙昇降板５０の連結部５３は、給紙カセット３０の側壁３２ｂおよび３２ｃの用紙幅方向の外側まで延びるように形成されており、アーム部５２は、給紙カセット３０の用紙幅方向の外側に配置されている。これにより、画像形成装置１００本体によって用紙昇降板５０を回動可能に支持しながら、用紙昇降板５０を下降位置と上昇位置とに容易に配置することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
例えば、モノクロプリンターに本発明を適用した例について示したが、本発明はこれに限らない。言うまでもなく、カラープリンター、モノクロ複写機、カラー複写機、デジタル複合機、ファクシミリ等の、シート収納カセットを備えた種々の画像形成装置に本発明を適用できる。
【００４６】
また、上記実施形態では、押し上げ板６２を用いて用紙昇降板５０を昇降させる例について示したが、押し上げ板６２を用いずに用紙昇降板５０を昇降させてもよい。例えば、軸部４３を本体フレーム４１の側面部４１ａに対して回転可能に構成するとともに、用紙昇降板５０を軸部４３に固定し、軸部４３の端部に入力ギア（図示せず）を固定する。そして、駆動機構７０のギア７１を入力ギアに接続してもよい。なお、この場合、軸部４３および入力ギアによってリフト機構が構成される。
【００４７】
又、例えば、用紙昇降板５０の裏面を上方に付勢する圧縮バネ（図示せず）と、用紙昇降板５０を下方に押圧可能な偏心カム等からなる押圧部材と、を用いて用紙昇降板５０を昇降させてもよい。なお、この場合、圧縮バネおよび押圧部材等によってリフト機構が構成される。
【符号の説明】
【００４８】
１  カセット装着部
１８  用紙（シート）
２０  給送部
３０  給紙カセット（シート収納カセット）
３１  カセットベース
３１ａ  開口部
３１ｂ  先端支持部（支持突部）
３１ｄ  段差部
３２ａ〜３２ｄ  側壁
４２ｄ  底面部
５０  用紙昇降板（シート昇降板）
５１  用紙支持部（シート支持部）
５１ａ  切り欠き
５２  アーム部
５３  連結部
６０  リフト機構
１００  画像形成装置
Ｓ  用紙収容部（シート収容部）
Ｓ３１  空間
【図１】
2020007127.tif 000003
【図２】
2020007127.tif 000004
【図３】
2020007127.tif 000005
【図４】
2020007127.tif 000006
【図５】
2020007127.tif 000007
【図６】
2020007127.tif 000008
【図７】
2020007127.tif 000009
【図８】
2020007127.tif 000010
【図９】
2020007127.tif 000011